(57)【要約】【課題】  ボルト孔に予め保持させたボルトがナット締付け時に共回りしないようにする。【解決手段】  軸心方向寸法を底鋼板１と添接板２の板厚の和よりもやや小さい寸法とし、軸心方向の一端部を底鋼板１のボルト孔よりも細径とすると共に、外周面を、上記軸心方向一端部より軸心方向他端側へ向けて底鋼板１のボルト孔３よりも太径となるように拡径させたテーパ形状としたボルト仮固定ナット９を形成する。底鋼板１のボルト孔３に下方より挿通させたボルト５に、ボルト仮固定用ナット９を螺着させ、その軸心方向一端部側をボルト孔３とボルト５との隙間に強制的にねじ込むことで、ボルト孔３にボルト５を回転しないよう仮固定する。その後、底鋼板１に添接板２を載置した後、ボルト５にナット６を締め込んで、底鋼板１と添接板２を接合させる。【選択図】図１
2008303917.tif 000002
【特許請求の範囲】
【請求項１】
ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし、且つ軸心方向寸法を上記２枚の鋼板を重ね合わせた厚み寸法よりも小さい寸法としたボルト仮固定ナットを、上記ボルトの軸部に螺着させて、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合することを特徴とする鋼板接合方法。
【請求項２】
ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし、且つ軸心方向寸法を上記２枚の鋼板を重ね合わせた厚み寸法よりも小さい寸法としたボルト仮固定ナットを、上記ボルトの軸部に螺着させて、該ボルト仮固定ナットの軸心方向一端部側を、上記一方の鋼板のボルト孔とボルトとの隙間にねじ込ませて、該ボルトを、上記一方の鋼板に予め仮固定し、次に、上記一方の鋼板の一側面における上記ボルトの頭部を含む領域を先行塗装し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合することを特徴とする鋼板接合方法。
【請求項３】
軸心方向の寸法をボルトにより重ね合わせて接合する２枚の鋼板を重ね合わせた厚み寸法よりも小さい寸法とし、且つ軸心方向の一端側の外径を上記２枚の鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成とし、上記一方の鋼板のボルト孔に通したボルトを該一方の鋼板に仮固定させるようにしたことを特徴とするボルト仮固定ナット。
【請求項４】
外径が一方の鋼板のボルト孔よりも所要寸法太径となる部分の軸心方向他端側に、軸心方向と直角方向の段差面を設けるようにした請求項３記載のボルト仮固定ナット。
【発明の詳細な説明】
【技術分野】
【０００１】
本発明は、鋼板同士の重ね合せ部をボルトを用いて接合するために用いる鋼板接合方法、及び、該方法に用いるボルト保持ナットに関するものである。
【背景技術】
【０００２】
近年、橋梁を構成するための床版としては、床版のコンクリート層の下面を形成する型枠をパネル状の底鋼板として、該底鋼板の内側にコンクリートを直接打設することで、上記底鋼板とコンクリート層とを一体に結合させるようにした形式の合成床版が用いられるようになってきている。
【０００３】
この種の合成床版を架設するには、先ず、主桁上に底鋼板を径間方向に並べて配設した後、隣接する底鋼板同士の連結作業が必要となる。
【０００４】
上記隣接する底鋼板同士を連結する場合、通常は、図５に示す如く、隣接する底鋼板１の突合せ端部同士の上側に添接板２を重ねて配置した状態にて、上記各底鋼板１と添接板２の重ね合わせ部に穿設してあるボルト孔３，４に対し、底鋼板１の下面側からボルト（高力ボルト）５を挿通させる。その後、上記添接板２の上側に突出する上記ボルト５の先端部に、ワッシャ７を嵌めてから、ナット６を螺着させて締め込むことで、鋼板同士の重ね合わせ部としての上記各底鋼板１と添接板２の重ね合わせ部を、ボルト５によりそれぞれ接合し、これにより、隣接する底鋼板１の突合せ端部同士を、上記添接板２を介して連結させるようにしてある。
【０００５】
上記のようにしてボルト５を用いて底鋼板１と添接板２の重ね合わせ部を接合する際には、底鋼板１の下面側から上記ボルト孔３，４に挿通させたボルト５が脱落（落下）しないように保持した状態で、添接板２の上側からナット６を螺着させて締め込む必要が生じていた。
【０００６】
そこで、上記合成床版の底鋼板１の架設現場における底鋼板の下面側からの作業を解消できるようにするための手法として、上記底鋼板１のボルト孔３に下方より挿通させたボルト５を、所要の治具を介して上記ボルト孔３の部分に脱落しないように保持させることが考えられてきている。
【０００７】
図６（イ）（ロ）（ハ）は上記底鋼板１のボルト孔３にボルト５を脱落しないよう保持させるための治具の一例として、従来提案されている引っ掛けリング８を示すものである。
【０００８】
上記引っ掛けリング８は、底鋼板１に穿設してあるボルト孔３よりもやや大きい外径寸法を有し、且つ軸心方向の長さ寸法（高さ寸法）を、上記添接板２の板厚よりも小さい寸法としたリング形状の部材の内周面に、上記ボルト５の軸部５ａに螺着させるための雌ねじ部（図示せず）を設けた構成としてある。これにより、図６（イ）に示す如く、隣接する底鋼板１の突合せ端部に設けてあるボルト孔３に、ボルト５を下方からそれぞれ挿通させた後、該各ボルト５の軸部５ａに、上記引っ掛けリング８を上方からねじ結合により嵌めて、該引っ掛けリング８を上記各底鋼板１のボルト孔３の周りに当てることで、予め、上記各底鋼板１のボルト孔３に、ボルト５を、落下を防止した状態で保持させることができるようにしてある。
【０００９】
したがって、その後は、図６（ロ）に示すように、上記各底鋼板１の突合せ端部の上側に、上記引っ掛けリング８が通過できる大きさのボルト孔４を穿設してなる添接板２を、該ボルト孔４に上記各底鋼板１のボルト孔３に保持させてあるボルト５を挿通させるようにして上方から載置した後、図６（ハ）に示すように、上記ボルト５に、ワッシャ７を介してナット６を上方から嵌めて添接板２の上側から締め込むことで、各底鋼板１に対する添接板２の接合作業、すなわち、該添接板２を介した上記底鋼板１同士の連結作業を、底鋼板１の上側からの作業のみで実施できるようにしてある（たとえば、特許文献１参照）。
【００１０】
ところで、上記合成床版の裏面となる底鋼板１の下面側の防錆処理としては、当初は亜鉛溶射が考えられていたが、近年では、上記底鋼板１の下面側に、全面に亘り塗装することが多くなってきている。
【００１１】
そのために、本出願人は、上記底鋼板１の架設現場における底鋼板１の下面側からの塗装作業を不要にできるようにするために、工場等において、上記底鋼板１のボルト孔３にボルト５を挿通させて保持させた状態で、ボルト５の頭部を含む該底鋼板１の下面の全面に亘り先行塗装を行うようにすることを考えている。
【００１２】
【特許文献１】特開２００４−１７６９０９号公報
【発明の開示】
【発明が解決しようとする課題】
【００１３】
ところが、特許文献１に示された引っ掛けリング８のような治具を用いて、底鋼板１のボルト孔３に、予めボルト５を脱落を防止した状態で保持させるために提案されている従来の手法では、上記底鋼板１の架設現場にてボルト孔３に保持させてある上記ボルト５にナット６を締め込むときに、該ボルト５に共回りが生じる虞がある。
【００１４】
すなわち、上記特許文献１に示されている引っ掛けリング８は、ボルト５の軸部５ａに嵌めた状態で添接板２のボルト孔４に挿入する必要があるため、周壁の厚みを大きく設定することができない。又、上記引っ掛けリング８は、軸心方向の長さ寸法を、添接板２の板厚よりも小さく設定する必要があるため、内周面に設ける雌ねじ部にて軸心方向に配列されているねじ山の数が少なく制限される。よって、ボルト５に対する締付け軸力をあまり大きくすることができないものとなっている。
【００１５】
しかも、一般に、ボルト孔３の内径は、ボルト５の軸部５ａの直径に対してやや余裕を持たせるようにしてあるため、上記ボルト５の軸部５ａにねじ結合によって嵌合させるようにしてある上記引っ掛けリング８は、その下端面の外周縁部のみで、上記底鋼板１の上面におけるボルト孔３の上端部の周縁に接触するようになるため、該引っ掛けリング８の下面と、底鋼板１の上面との接触面積が小さく制限されている。
【００１６】
したがって、上記底鋼板１と引っ掛けリング８との間の摩擦力を大きくすることが難しいために、上記底鋼板１のボルト孔３に保持させてあるボルト５に、ナット６を螺着させて締め付けるときに、上記ボルト５に共回りが発生する虞が懸念されるというのが実状である。
【００１７】
そのために、工場等にて、上記底鋼板１のボルト孔３に、ボルト５を上記引っ掛けリング８を用いて脱落を防止した状態で保持させた後、上記ボルト５の頭部を含めた底鋼板１の下面の全面に、先行塗装を行っても、上記ボルト５に対するナット６の締付けによって該ボルト５の共回りが発生してしまうと、塗膜が割れたり、剥離が生じることから、従来は、上記底鋼板１の下面の全面に先行塗装を行うことは困難であった。
【００１８】
したがって、従来は、工場等にて、上記底鋼板１の下面におけるボルト孔３の周辺部を除く領域のみに先行塗装を行っておき、底鋼板１の架設現場では、上述したような隣接する各底鋼板１の突合せ端部に対する添接板２のボルト５を用いた接合作業を行って、底鋼板１同士の連結した後、上記底鋼板１の下面におけるボルト孔３の周辺部の未塗装部分と上記ボルト５の頭部に塗装を行う必要が生じていた。
【００１９】
そこで、本発明は、鋼板同士の重ね合わせ部をボルトを用いて接合する際、一方の鋼板のボルト孔に脱落しないよう保持させたボルトに、ナット締付け時にも共回りが生じる虞を未然に防止できるようにし、更には、上記鋼板の重ね合わせ部を接合するために用いるボルトの頭部を、該ボルトの頭部の周りの鋼板表面と一緒に先行塗装することができる鋼板接合方法、及び、該方法に用いるボルト仮固定ナットを提供しようとするものである。
【課題を解決するための手段】
【００２０】
本発明は、上記課題を解決するために、請求項１に対応して、ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし、且つ軸心方向寸法を上記２枚の鋼板を重ね合わせた厚み寸法よりも小さい寸法としたボルト仮固定ナットを、上記ボルトの軸部に螺着させて、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法とする。
【００２１】
又、請求項２に対応して、ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし、且つ軸心方向寸法を上記２枚の鋼板を重ね合わせた厚み寸法よりも小さい寸法としたボルト仮固定ナットを、上記ボルトの軸部に螺着させて、該ボルト仮固定ナットの軸心方向一端部側を、上記一方の鋼板のボルト孔とボルトとの隙間にねじ込ませて、該ボルトを、上記一方の鋼板に予め仮固定し、次に、上記一方の鋼板の一側面における上記ボルトの頭部を含む領域を先行塗装し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法とする。
【００２２】
更に、請求項３に対応して、軸心方向の寸法をボルトにより重ね合わせて接合する２枚の鋼板を重ね合わせた厚み寸法よりも小さい寸法とし、且つ軸心方向の一端側の外径を上記２枚の鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成とし、上記一方の鋼板のボルト孔に通したボルトを該一方の鋼板に仮固定させるようにしたボルト仮固定ナットとする。
【００２３】
上記構成のボルト仮固定ナットにおいて、外径が一方の鋼板のボルト孔よりも所要寸法太径となる部分の軸心方向他端側に、軸心方向と直角方向の段差面を設けるようにした構成とする。
【発明の効果】
【００２４】
本発明によれば、以下のような優れた効果を発揮する。 
（１）ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし、且つ軸心方向寸法を上記２枚の鋼板を重ね合わせた厚み寸法よりも小さい寸法としたボルト仮固定ナットを、上記ボルトの軸部に螺着させて、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法としてあるので、上記ボルト孔にボルトが仮固定してある一方の鋼板の他側面側からの作業のみで、上記一方の鋼板に対する他方の鋼板の接合作業を実施できる。しかも、上記一方の鋼板のボルト孔に仮固定してあるボルトに対して、ナットを螺着させて締め込むときに、該ボルトに共回りが生じる虞を未然に防止することができる。 
（２）上記と同様に、ボルト仮固定ナットの軸心方向一端部側を、上記一方の鋼板のボルト孔とボルトとの隙間にねじ込ませて、ボルトを、上記一方の鋼板に予め仮固定し、次に、上記一方の鋼板の一側面における上記ボルトの頭部を含む領域を先行塗装し、次いで、上記一方の鋼板の他側面側に、他方の鋼板を接合するようにすることにより、上記一方の鋼板の一側面側に施してある先行塗装に割れや剥離が生じる虞を未然に防止しながら、一方の鋼板の他側面側からの作業のみで、上記一方の鋼板に他方の鋼板を接合する作業を実施できる。したがって、上記各鋼板を接合する現場では、上記一方の鋼板の一側面側での作業を不要とすることが可能になる。 
（３）軸心方向の寸法をボルトにより重ね合わせて接合する２枚の鋼板を重ね合わせた厚み寸法よりも小さい寸法とし、且つ軸心方向の一端側の外径を上記２枚の鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成とし、上記一方の鋼板のボルト孔に通したボルトを該一方の鋼板に仮固定させるようにしたボルト仮固定ナットとすることにより、上記（１）（２）の方法の実施に用いるボルト仮固定ナットを実現できる。 
（４）上記構成のボルト仮固定ナットにおいて、外径が一方の鋼板のボルト孔よりも所要寸法太径となる部分の軸心方向他端側に、軸心方向と直角方向の段差面を設けるようにした構成とすることにより、上記ボルト仮固定ナットの軸心方向一端部側を、上記一方の鋼板のボルト孔とボルトとの隙間にねじ込ませる際に、上記段差面が、上記一方の鋼板におけるボルト孔の外周縁部に接触することで、該ボルト仮固定ナットのボルト孔とボルトとの隙間へのねじ込み量を、一定量とすることができる。しかも、上記ボルト仮固定ナットに設けてある段差面が、上記一方の鋼板におけるボルト孔の外周縁部に密着されることで、この密着部分に生じる摩擦力により、上記一方の鋼板のボルト孔に上記ボルト仮固定ナットを介して仮固定するボルトの回転防止効果をより強化することが可能となる。
【発明を実施するための最良の形態】
【００２５】
以下、本発明を実施するための最良の形態を図面を参照して説明する。
【００２６】
図１（イ）（ロ）及び図２（イ）（ロ）（ハ）は本発明の鋼板接合方法、及び、該方法に用いるボルト仮固定ナットの実施の一形態として、鋼板として、図５に示したと同様の合成床版の底鋼板１と添接板２との接合部に適用する場合を示すもので、以下のようにしてある。
【００２７】
すなわち、本発明のボルト仮固定ナット９は、軸心方向の長さ寸法を、上記添接板２の板厚よりも大きく、且つ上記底鋼板１の板厚と添接板２の板厚の和よりもやや小さい寸法に設定する。更に、上記ボルト仮固定ナット９は、軸心方向の一端部１０の外径が、底鋼板１に設けてあるボルト孔３よりも細径となるように設定すると共に、軸心方向他端部１１の外径が、上記底鋼板１のボルト孔３よりも所要寸法太径となるようにして、該ボルト仮固定ナット９の外周面が、上記細径となる軸心方向の一端部１０から他端部１１側へ向けて徐々に拡径するテーパ形状となるようにしてある。
【００２８】
上記ボルト仮固定ナット９の内周面には、上記底鋼板１と添接板２の接合に用いるボルト５の軸部５ａに螺着させるための雌ねじ部１２が設けてある。
【００２９】
更に、上記ボルト仮固定ナット９の太径側となる軸心方向他端寄りの外周面における１８０度対向する２個所に、軸心方向に沿う１対の面取り部１３を平行に設けるようにしてある。これにより、上記ボルト仮固定ナット９の上記１対の面取り部１３に、スパナやモンキーレンチ等の図示しない締付け工具を掛けることで、該締付け工具を用いて上記ボルト仮固定ナット９を回すことができるようにしてある。
【００３０】
更に又、上記ボルト仮固定用ナット９は、所要の弾性変形を許容できるように、たとえば、合成樹脂製、あるいは、黄銅、銅、アルミニウム等、上記底鋼板１及びボルト５に比して柔らかい金属製としてある。これにより、上記ボルト仮固定ナット９を、後述するようにボルト５に対する締付け軸力によって上記底鋼板１のボルト孔３とボルト５との隙間にねじ込むことで、該ボルト仮固定ナット９を、上記底鋼板１のボルト孔３とボルト５との隙間に、軸心方向一端部１０より、外周面の径が上記底鋼板１のボルト孔３と等しくなる部分よりも太径側である軸心方向他端側へ所要寸法寄った部分まで楔状に食い込ませることができるようにしてある。したがって、上記ボルト仮固定ナット９における底鋼板１のボルト孔３とボルト５との隙間に食い込まされた部分に生じる径方向の圧縮弾性変形の復元力によって、該ボルト仮固定ナット９を、上記底鋼板１のボルト孔３の上端部付近の内周面に、周方向の全長亘り強く押し付けることができるようにしてある。
【００３１】
なお、上記ボルト仮固定ナット９の外周面のテーパ形状は、上記のようにして該ボルト仮固定ナット９を、上記底鋼板１のボルト孔３とボルト５との隙間に楔状に食い込ませるときに、該ボルト仮固定ナット９の細径側の一端部１０が、上記底鋼板１のボルト孔３の内側に収まり、且つ、上記底鋼板１の上方にはみ出すボルト仮固定ナット９の太径側の他端部１１の底鋼板１上面からの高さ寸法が、上記添接板２の板厚よりも小さくなるように設定してあるものとする。
【００３２】
以上の構成としてあるボルト仮固定ナット９を用いて鋼板としての上記合成床版の底鋼板１と、添接板２を接合して、図５に示したと同様に隣接する底鋼板１の突合せ端部同士の添接板２を介した連結を行う場合は、予め、工場等にて、図１（イ）に示す如く、上記底鋼板１のボルト孔３に、ワッシャ７を介して下方よりボルト（高力ボルト）５を挿通させて配置した後、該ボルト５の軸部５ａに、上記ボルト仮固定ナット９を、細径側となる一端部１０側より嵌めて雌ねじ部１２を螺着させる。その後、上記ボルト仮固定ナット９を、上記１対の面取り部１３に掛けた図示しない締付け工具を用いて上記ボルト５に対して締め込むことにより、ボルト固定用ナット９の上記ボルト５に対する締付け軸力を利用して、該ボルト仮固定ナット９を、上記底鋼板１のボルト孔３とボルト５との隙間にねじ込んで楔状に食い込ませるようにする。
【００３３】
この際、上記ボルト仮固定ナット９は、軸心方向の寸法を、底鋼板１の板厚と添接板２の板厚の和よりもやや小さい寸法となるように設定してあるため、内周面に形成してある雌ねじ部１２にて軸心方向に配列されているねじ山の数は、図６（イ）（ロ）（ハ）に示した如き特許文献１に示された引っ掛けリング８に比して多くなっている。これにより、該ボルト仮固定ナット９より上記ボルト５に強い締付け軸力を作用させることができることから、該ボルト仮固定ナット９とボルト５との間には、大きな摩擦力が発生するようになる。又、上記ボルト仮固定ナット９を、上記ボルト５に作用させる強い締付け軸力を利用してねじ込むことで、該ボルト仮固定ナット９における上記底鋼板１のボルト孔３よりも太径となる部分を、該ボルト孔３とボルト５との隙間に強制的に楔状に食い込ませるようにしてあることから、該底鋼板１のボルト孔３とボルト５との隙間において圧縮弾性変形される上記ボルト仮固定ナット９の復元力により、該ボルト仮固定ナット９が、上記底鋼板１のボルト孔３の上端部内周面に、周方向の全周に亘り強く押し付けられて密着されるようになることから、該ボルト仮固定ナット９と上記底鋼板１のボルト孔３との間にも大きな摩擦力が生じるようになる。よって、上記ボルト５は、上記底鋼板１のボルト孔３に、該ボルト孔３とボルト仮固定ナット９の間の大きな摩擦力、及び、該ボルト仮固定ナット９とボルト５の間の大きな摩擦力によって回転が防止された状態で仮固定される。
【００３４】
次いで、必要に応じて、工場等にて、図１（イ）に二点鎖線で示す如く、上記ボルト孔３に上記ボルト仮固定ナット９を介してボルト５を仮固定してなる底鋼板１の下面側に、上記ボルト５の頭部５ｂを含めて全面に亘り先行塗装を施すようにする。１４は塗膜である。
【００３５】
その後、上記ボルト孔３にボルト５を取り付け、且つ下面側に先行塗装を施してなる底鋼板１を、施工現場へ搬入して、該底鋼板１を主桁上に径間方向に並べて配設した後、隣接する底鋼板１の突合せ端部同士の上側に、図１（ロ）に示す如く（図１（ロ）では片方の底鋼板１のみを示してある）、該各底鋼板１のボルト孔３と対応する位置に上記ボルト仮固定ナット９の太径側端部となる軸心方向他端部１１の外径よりも所要寸法大きなボルト孔４を穿設してなる添接板２を上方から載置して、該添接板２のボルト孔４に、上記底鋼板１のボルト孔３に仮固定してあるボルト５を、それぞれ挿通させるようにする。
【００３６】
しかる後、上記添接板２の上方へ突出している上記各ボルト５の軸部５ａに、ワッシャ７を介してナット６を嵌めて、該ナット６をボルト５に対して締め込むことで、上記底鋼板１と添接板２の重ね合わせ部を、ボルト５によりそれぞれ接合する。これにより、隣接する底鋼板１の突合せ端部同士が、上記添接板２を介して連結されるようになる。
【００３７】
このように、本発明の鋼板接合方法によれば、ボルト仮固定ナット９の軸心方向寸法を、添接板２の板厚よりも大とすることで、該ボルト仮固定ナット９の内周面に設けた雌ねじ部１２のねじ山の数を、図６（イ）（ロ）（ハ）に示した如き特許文献１の引っ掛けリング８に比して多くすることができ、したがって、上記ボルト仮固定ナット９のボルト５に対する締付け軸力を大きなものとすることが可能となる。
【００３８】
よって、上記ボルト仮固定ナット９のボルト５に対する大きな締付け軸力によって、該ボルト仮固定ナット９を、上記底鋼板１のボルト孔３と、該ボルト孔３に挿通させたボルト５との隙間に強制的にねじ込んで楔状に食い込ませることができる。このため、上記ボルト仮固定ナット９を介して、上記底鋼板１のボルト孔３に上記ボルト５を、回転を防止した状態で仮固定することができる。
【００３９】
したがって、上記底鋼板１の架設現場にて、底鋼板１のボルト孔３に仮固定してある上記ボルト５に、添接板２の上側からナット６を締め込むときにも、上記ボルト５に共回りが発生する虞を未然に防止することができる。このため、上記したように、工場等で上記底鋼板１の下面側に、上記ボルト孔３に取り付けてあるボルト５の頭部５ｂを含めて先行塗装を施すことができるようになることから、上記底鋼板１の設置後における該底鋼板１の下面側からの塗装作業を不要にすることができて、底鋼板の下側に足場を必要とする作業や、高所作業車を用いて行う作業をなくすことが可能となる。
【００４０】
次に、図３（イ）（ロ）及び図４（イ）（ロ）（ハ）は本発明の実施の他の形態を示すもので、図１（イ）（ロ）及び図２（イ）（ロ）（ハ）に示したと同様の構成において、ボルト仮固定ナット９の外周面を、底鋼板１のボルト孔３よりも細径となる軸心方向一端部１０から上記ボルト孔３よりも太径となる軸心方向他端部１１まで徐々に拡径する連続したテーパ形状とする構成に代えて、該テーパ形状と同様のテーパ形状の外周面における外径が上記底鋼板１のボルト孔３の径よりもやや太径となる部分の軸心方向他端側に、軸心方向に垂直な段差面１５を設けてボルト仮固定ナット９ａを構成したものである。
【００４１】
該ボルト仮固定ナット９ａにおけるその他の構成は、図１（イ）（ロ）及び図２（イ）（ロ）（ハ）に示したボルト仮固定ナット９と同様であり、同一のものには同一符号が付してある。
【００４２】
以上の構成としてあるボルト仮固定ナット９ａを使用する場合は、上記実施の形態と同様に、先ず、工場等にて、図２（イ）に示す如く、上記底鋼板１のボルト孔３に、ワッシャ７を介して下方よりボルト（高力ボルト）５を挿通させて配置した後、該ボルト５の軸部５ａに、上記ボルト仮固定ナット９ａを、細径側となる一端部１０側より嵌めて雌ねじ部１２を螺着させる。その後、上記ボルト仮固定ナット９ａを、太径側となる軸心方向他端部１１寄りの外周面に形成してある１対の面取り部１３に掛けた図示しない締付け工具を用いて上記ボルト５に対して締め込むようにすると、上記ボルト固定用ナット９ａの上記ボルト５に対する締付け軸力を利用して、該ボルト仮固定ナット９ａが、上記実施の形態におけるボルト仮固定ナット９と同様に、上記底鋼板１のボルト孔３とボルト５との隙間にねじ込まれるようになる。
【００４３】
この際、本実施の形態におけるボルト仮固定ナット９ａには、外周面における外径が上記底鋼板１のボルト孔３の径よりもやや太径となる部分の軸心方向他端側に、軸心方向に垂直な段差面１５が設けてあるため、該段差面１５が、上記底鋼板１の上面におけるボルト孔３の外周縁部に接触するようになると、該ボルト仮固定ナット９ａは、それ以上底鋼板のボルト孔３とボルト５との隙間にねじ込まれなくなるため、上記締付け工具によって上記ボルト仮固定ナット９ａを締めるときの抵抗が急に大きくなる。
【００４４】
したがって、作業者は、上記のようにボルト仮固定ナット９ａを締めるときの抵抗が急増する感触によって、上記ボルト仮固定ナット９ａが、上記底鋼板１のボルト孔３とボルト５との隙間に、上記ボルト孔３よりも所要寸法太径となる部分までねじ込まれたことを確認できるようになる。
【００４５】
しかも、この時点では、上記ボルト仮固定ナット９ａに設けてある段差面が、上記底鋼板１の上面におけるボルト孔３の外周縁部に密着されているため、この密着した部分に生じる摩擦力により、上記底鋼板１のボルト孔３にボルト仮固定ナット９ａを介して仮固定するボルト５の回転防止作用をより強化することが可能となる。
【００４６】
上記のように底鋼板１のボルト孔３に、上記ボルト仮固定ナット９ａを介してボルト５を仮固定した後は、上記実施の形態と同様に、底鋼板１の下面側の塗装を行った後、底鋼板１の架設現場にて、底鋼板１に添接板２を重ねた後、ボルト５にナット６を締めこんで、上記底鋼板１と添接板２の接合を行うようにすればよい。
【００４７】
なお、本発明は、上記実施の形態にのみ限定されるものではなく、ボルト仮固定ナット９，９ａの外周面におけるテーパ形状としてある部分の軸心方向に対する傾斜角度は、接合対象となる底鋼板１と添接板の板厚や、ボルト５を予め取り付けるようにする一方の鋼板に設けるボルト孔３とボルト５との隙間の大きさに応じて適宜変更してもよい。
【００４８】
本発明の鋼板接合方法は、底鋼板１の下面側に塗装を必要としない場合における該底鋼板１と添接板２との接合個所に適用してもよい。更には、２枚の鋼板をボルトを用いて接合する際、一方の鋼板に設けたボルト孔に予めボルトを脱落しないよう取り付けておくことが望まれる個所であれば、上記底鋼板１と添接板２以外のいかなる鋼板同士の接合個所にも適用してよい。
【００４９】
その他本発明の要旨を逸脱しない範囲内で種々変更を加え得ることは勿論である。
【図面の簡単な説明】
【００５０】
【図１】本発明の鋼板接合方法、及び、該方法に用いるボルト仮固定ナットの実施の一形態を示すもので、（イ）は底鋼板のボルト孔にボルトを仮固定した状態を、（ロ）は底鋼板に添接板を接合した状態をそれぞれ示す概略切断側面図である。
【図２】図１におけるボルト仮固定ナットを拡大して示すもので、（イ）は太径側より見た斜視図、（ロ）は切断側面図、（ハ）は（ロ）のＡ−Ａ方向矢視図である。
【図３】本発明の実施の他の形態を示すもので、（イ）は底鋼板のボルト孔にボルトを仮固定した状態を、（ロ）は底鋼板に添接板を接合した状態をそれぞれ示す概略切断側面図である。
【図４】図３におけるボルト仮固定ナットを拡大して示すもので、（イ）は太径側より見た斜視図、（ロ）は切断側面図、（ハ）は（ロ）のＢ−Ｂ方向矢視図である。
【図５】隣接する合成床版の底鋼板の突合せ端部同士の添接板を介した一般的な連結構造を示す切断側面図である。
【図６】底鋼板のボルト孔にボルトを脱落しないよう保持させるために従来提案されている手法の一例の概要を示すもので、（イ）は底鋼板のボルト孔にボルトを保持させた状態を、（ロ）は隣接する底鋼板の上側に添接板を載置する状態を、（ハ）は隣接する底鋼板を添接板を介して連結した状態をそれぞれ示す切断側面図である。
【符号の説明】
【００５１】
１  底鋼板（一方の鋼板）
２  添接板（他方の鋼板）
３  ボルト孔
４  ボルト孔
５  ボルト
６  ナット
９，９ａ  ボルト仮固定ナット
１０  一端部
１１  他端部
１５  段差面
【図１】
2008303917.tif 000003
【図２】
2008303917.tif 000004
【図３】
2008303917.tif 000005
【図４】
2008303917.tif 000006
【図５】
2008303917.tif 000007
【図６】
2008303917.tif 000008
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし且つ軸心方向寸法を上記２枚の重ね合わせ鋼板のうちの他方の鋼板の厚み寸法よりも大きい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合することを特徴とする鋼板接合方法。
【請求項２】
ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし且つ軸心方向寸法を上記２枚の重ね合わせ鋼板のうちの他方の鋼板の厚み寸法よりも大きい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次に、上記一方の鋼板の一側面における上記ボルトの頭部を含む領域を先行塗装し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合することを特徴とする鋼板接合方法。
【請求項３】
ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法とし、且つ軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成を有することを特徴とするボルト仮固定ナット。
【請求項４】
ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法とし、且つ軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状とし、外径が一方の鋼板のボルト孔よりも所要寸法太径となる部分の軸心方向他端側に、軸心方向と直角方向の段差面を設けるようにしてなる構成を有することを特徴とするボルト仮固定ナット。
【手続補正２】
【補正対象書類名】明細書
【補正対象項目名】００２０
【補正方法】変更
【補正の内容】
【００２０】
本発明は、上記課題を解決するために、請求項１に対応して、ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし且つ軸心方向寸法を上記２枚の重ね合わせ鋼板のうちの他方の鋼板の厚み寸法よりも大きい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法とする。
【手続補正３】
【補正対象書類名】明細書
【補正対象項目名】００２１
【補正方法】変更
【補正の内容】
【００２１】
又、請求項２に対応して、ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし且つ軸心方向寸法を上記２枚の重ね合わせ鋼板のうちの他方の鋼板の厚み寸法よりも大きい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次に、上記一方の鋼板の一側面における上記ボルトの頭部を含む領域を先行塗装し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法とする。
【手続補正４】
【補正対象書類名】明細書
【補正対象項目名】００２２
【補正方法】変更
【補正の内容】
【００２２】
更に、請求項３に対応して、ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法とし、且つ軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成を有するボルト仮固定ナットとする。
【手続補正５】
【補正対象書類名】明細書
【補正対象項目名】００２４
【補正方法】変更
【補正の内容】
【００２４】
本発明によれば、以下のような優れた効果を発揮する。
（１）ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし且つ軸心方向寸法を上記２枚の重ね合わせ鋼板のうちの他方の鋼板の厚み寸法よりも大きい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法としてあるので、軸心方向寸法を上記他方の鋼板の厚み寸法よりも大きい寸法としてあるボルト仮固定ナットの内周面の雌ねじ部のねじ山の数を多くすることができて、該ボルト仮固定ナットのボルトに対する締付け軸力を大きなものとすることが可能となる。よって、上記ボルト仮固定ナットのボルトに対する大きな締付け軸力によって、該ボルト仮固定ナットを、上記一方の鋼板のボルト孔と、該ボルト孔に挿通させたボルトとの隙間に強制的にねじ込んで楔状に食い込ませることができ、これにより、上記ボルト仮固定ナットを介して、上記一方の鋼板のボルト孔に上記ボルトを、回転を防止した状態で仮固定することができる。したがって、上記ボルト孔にボルトが仮固定してある一方の鋼板の他側面側からの作業のみで、上記一方の鋼板に対する他方の鋼板の接合作業を実施できる。しかも、上記一方の鋼板のボルト孔に仮固定してあるボルトに対して、ナットを螺着させて締め込むときに、該ボルトに共回りが生じる虞を未然に防止することができる。
（２）上記と同様に、ボルト仮固定ナットの軸心方向一端部側を、上記一方の鋼板のボルト孔とボルトとの隙間にねじ込ませて、ボルトを、上記一方の鋼板に予め仮固定し、次に、上記一方の鋼板の一側面における上記ボルトの頭部を含む領域を先行塗装し、次いで、上記一方の鋼板の他側面側に、他方の鋼板を接合するようにすることにより、上記一方の鋼板の一側面側に施してある先行塗装に割れや剥離が生じる虞を未然に防止しながら、一方の鋼板の他側面側からの作業のみで、上記一方の鋼板に他方の鋼板を接合する作業を実施できる。したがって、上記各鋼板を接合する現場では、上記一方の鋼板の一側面側での作業を不要とすることが可能になる。
（３）ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法とし、且つ軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成を有するボルト仮固定ナットとすることにより、上記（１）（２）の方法の実施に用いるボルト仮固定ナットを実現できる。 
（４）上記構成のボルト仮固定ナットにおいて、外径が一方の鋼板のボルト孔よりも所要寸法太径となる部分の軸心方向他端側に、軸心方向と直角方向の段差面を設けるようにした構成とすることにより、上記ボルト仮固定ナットの軸心方向一端部側を、上記一方の鋼板のボルト孔とボルトとの隙間にねじ込ませる際に、上記段差面が、上記一方の鋼板におけるボルト孔の外周縁部に接触することで、該ボルト仮固定ナットのボルト孔とボルトとの隙間へのねじ込み量を、一定量とすることができる。しかも、上記ボルト仮固定ナットに設けてある段差面が、上記一方の鋼板におけるボルト孔の外周縁部に密着されることで、この密着部分に生じる摩擦力により、上記一方の鋼板のボルト孔に上記ボルト仮固定ナットを介して仮固定するボルトの回転防止効果をより強化することが可能となる。
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし軸心方向寸法を上記２枚の重ね合わせ鋼板のうちの他方の鋼板の厚み寸法よりも大きい寸法で且つ上記２枚の重ね合わせ鋼板の板厚の和よりも小さい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合することを特徴とする鋼板接合方法。
【請求項２】
ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし軸心方向寸法を上記２枚の重ね合わせ鋼板のうちの他方の鋼板の厚み寸法よりも大きい寸法で且つ上記２枚の重ね合わせ鋼板の板厚の和よりも小さい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次に、上記一方の鋼板の一側面における上記ボルトの頭部を含む領域を先行塗装し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合することを特徴とする鋼板接合方法。
【請求項３】
ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法で且つ上記２枚の重ね合わせ鋼板の板厚の和よりも小さい寸法とし、軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成を有することを特徴とするボルト仮固定ナット。
【請求項４】
ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法で且つ上記２枚の重ね合わせ鋼板の板厚の和よりも小さい寸法とし、軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状とし、外径が一方の鋼板のボルト孔よりも所要寸法太径となる部分の軸心方向他端側に、軸心方向と直角方向の段差面を設けるようにしてなる構成を有することを特徴とするボルト仮固定ナット。
【手続補正２】
【補正対象書類名】明細書
【補正対象項目名】００２０
【補正方法】変更
【補正の内容】
【００２０】
本発明は、上記課題を解決するために、請求項１に対応して、ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし軸心方向寸法を上記２枚の重ね合わせ鋼板のうちの他方の鋼板の厚み寸法よりも大きい寸法で且つ上記２枚の重ね合わせ鋼板の板厚の和よりも小さい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法とする。
【手続補正３】
【補正対象書類名】明細書
【補正対象項目名】００２１
【補正方法】変更
【補正の内容】
【００２１】
又、請求項２に対応して、ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし軸心方向寸法を上記２枚の重ね合わせ鋼板のうちの他方の鋼板の厚み寸法よりも大きい寸法で且つ上記２枚の重ね合わせ鋼板の板厚の和よりも小さい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次に、上記一方の鋼板の一側面における上記ボルトの頭部を含む領域を先行塗装し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法とする。
【手続補正４】
【補正対象書類名】明細書
【補正対象項目名】００２２
【補正方法】変更
【補正の内容】
【００２２】
更に、請求項３に対応して、ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法で且つ上記２枚の重ね合わせ鋼板の板厚の和よりも小さい寸法とし、軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成を有するボルト仮固定ナットとする。
【手続補正５】
【補正対象書類名】明細書
【補正対象項目名】００２４
【補正方法】変更
【補正の内容】
【００２４】
本発明によれば、以下のような優れた効果を発揮する。
（１）ボルトを用いて接合するようにする２枚の重ね合わせ鋼板のうちの一方の鋼板のボルト孔に、一側面側からボルトを挿通させた後、外径を一端側よりも他端側が大きくなるようにテーパ形状とし軸心方向寸法を上記２枚の重ね合わせ鋼板のうちの他方の鋼板の厚み寸法よりも大きい寸法で且つ上記２枚の重ね合わせ鋼板の板厚の和よりも小さい寸法としたボルト仮固定ナットを、上記ボルトの軸部に一端側から螺着させ、該ボルト仮固定ナットの軸心方向一端部側を、上記一方の鋼板のボルト孔とボルトとの隙間にねじ込ませて、該ボルトを、上記一方の鋼板に予め仮固定し、次いで、上記一方の鋼板の他側面側に、上記ボルト仮固定ナットの最大径よりも大きなボルト孔を穿設した他方の鋼板を配置した後、上記ボルトにナットを螺着させて締め付けることにより、上記２枚の重ね合わせ鋼板を接合する鋼板接合方法としてあるので、軸心方向寸法を上記他方の鋼板の厚み寸法よりも大きい寸法としてあるボルト仮固定ナットの内周面の雌ねじ部のねじ山の数を多くすることができて、該ボルト仮固定ナットのボルトに対する締付け軸力を大きなものとすることが可能となる。よって、上記ボルト仮固定ナットのボルトに対する大きな締付け軸力によって、該ボルト仮固定ナットを、上記一方の鋼板のボルト孔と、該ボルト孔に挿通させたボルトとの隙間に強制的にねじ込んで楔状に食い込ませることができ、これにより、上記ボルト仮固定ナットを介して、上記一方の鋼板のボルト孔に上記ボルトを、回転を防止した状態で仮固定することができる。したがって、上記ボルト孔にボルトが仮固定してある一方の鋼板の他側面側からの作業のみで、上記一方の鋼板に対する他方の鋼板の接合作業を実施できる。しかも、上記一方の鋼板のボルト孔に仮固定してあるボルトに対して、ナットを螺着させて締め込むときに、該ボルトに共回りが生じる虞を未然に防止することができる。
（２）上記と同様に、ボルト仮固定ナットの軸心方向一端部側を、上記一方の鋼板のボルト孔とボルトとの隙間にねじ込ませて、ボルトを、上記一方の鋼板に予め仮固定し、次に、上記一方の鋼板の一側面における上記ボルトの頭部を含む領域を先行塗装し、次いで、上記一方の鋼板の他側面側に、他方の鋼板を接合するようにすることにより、上記一方の鋼板の一側面側に施してある先行塗装に割れや剥離が生じる虞を未然に防止しながら、一方の鋼板の他側面側からの作業のみで、上記一方の鋼板に他方の鋼板を接合する作業を実施できる。したがって、上記各鋼板を接合する現場では、上記一方の鋼板の一側面側での作業を不要とすることが可能になる。
（３）ボルトを用いて接合するようにする２枚の重ね合わせ鋼板のうちの一方の鋼板のボルト孔に通したボルトを該一方の鋼板に仮固定させるボルト仮固定ナットにおいて、軸心方向の寸法を上記２枚の重ね合わせ鋼板のうちの他方の鋼板の厚み寸法よりも大きい寸法で且つ上記２枚の重ね合わせ鋼板の板厚の和よりも小さい寸法とし、軸心方向の一端側の外径を上記２枚の重ね合わせ鋼板のうちの一方の鋼板に設けたボルト孔よりも細径とすると共に、軸心方向一端部から軸心方向他端側へ向けて外径を上記一方の鋼板のボルト孔よりも太径となるように拡径させたテーパ形状としてなる構成を有するボルト仮固定ナットとすることにより、上記（１）（２）の方法の実施に用いるボルト仮固定ナットを実現できる。
（４）上記構成のボルト仮固定ナットにおいて、外径が一方の鋼板のボルト孔よりも所要寸法太径となる部分の軸心方向他端側に、軸心方向と直角方向の段差面を設けるようにした構成とすることにより、上記ボルト仮固定ナットの軸心方向一端部側を、上記一方の鋼板のボルト孔とボルトとの隙間にねじ込ませる際に、上記段差面が、上記一方の鋼板におけるボルト孔の外周縁部に接触することで、該ボルト仮固定ナットのボルト孔とボルトとの隙間へのねじ込み量を、一定量とすることができる。しかも、上記ボルト仮固定ナットに設けてある段差面が、上記一方の鋼板におけるボルト孔の外周縁部に密着されることで、この密着部分に生じる摩擦力により、上記一方の鋼板のボルト孔に上記ボルト仮固定ナットを介して仮固定するボルトの回転防止効果をより強化することが可能となる。